(57)【要約】  吸収用品は、前方領域(２)と、後方領域(３)と、それらの間にある股領域(４)とを備えており、この用品は、さらに実質的に長手方向に延在する漏出バリア(１４)を備えているが、個々の漏出バリア(１４)は、自由内側伸縮部(１６)と、側方外側部(１５)とを有しており、漏出バリアの自由側方内側伸縮部(１６)は、吸収用品の内側カバー(６)から隆起している。股領域(４)は、長手方向における少なくとも２ｃｍ、好ましくは少なくとも５ｃｍ、そしてさらに好ましくは少なくとも１０ｃｍに沿って、隆起した漏出バリア(１４)を有しておらず、その一方で、隆起した漏出バリアは、用品の前方および後方領域(２，３)内に存在している。
2009532170.tif 000002
【特許請求の範囲】
【請求項１】
吸収コア(９)と前記吸収コアを封入するカバーとを具備してなる吸収用品であって、前記カバーは、前記吸収コアの着用者に面する側における液体透過性内側カバー(６)と前記吸収コアの衣類に面する側における液体非透過性外側カバー(７)とを具備してなり、前記用品は、長手方向(ｙ)と横方向(ｘ)とを有しておりかつ一対の長手方向側方縁部(５，６)と一対の横方向側方縁部(７，８)とによって形成されており、前記用品は、その長手方向に見た場合に、前方領域(２)と後方領域(３)とこれらの間にある股領域(４)とを具備してなり、前記股領域(４)は、前記用品の各長手方向側方縁部(５，６)における内向き脚輪郭部によって形成されており、さらに前記用品は、実質的に長手方向に延在する漏出バリア(１４)を具備してなり、個々の前記漏出バリア(１４)は、自由側方内側伸縮部(１６)と側方外側部(１５)とを有しており、前記漏出バリアの前記伸縮部(１６)は、前記吸収用品の前記内側カバー(６)から隆起しており、
長手方向における少なくとも２ｃｍ、好ましくは少なくとも５ｃｍ、そしてさらに好ましくは少なくとも１０ｃｍの長さ(ｂ)に沿って前記股領域(４)は、隆起した漏出バリア(１４)に存在しておらず、その一方で、隆起した漏出バリアは、前記用品の前記前方領域(２)および／または前記後方領域(３)に存在していることを特徴とする吸収用品。
【請求項２】
前記股領域(４)の少なくとも一部は、横方向(ｘ)において、２０ｃｍ以下の、好ましくは１５ｃｍ以下の幅(ａ)を有していることを特徴とする請求項１に記載の吸収用品。
【請求項３】
前記漏出バリア(１４)の前記側方外側部(１５)同士の間の横方向(ｘ)の距離(ｃ)は、少なくとも少なくとも３ｃｍであることを特徴とする請求項１または請求項２に記載の吸収用品。
【請求項４】
前記漏出バリア(１４)の前記側方外側部(１５)同士の間の横方向(ｘ)の距離(ｃ)は、前記股領域の横方向における最も狭い幅と少なくとも等しいか、あるいはそれよりも大きいか、好ましくはそれより４ｃｍ大きいか、そしてさらに好ましくはそれより１０ｃｍ大きいことを特徴とする請求項２または請求項３に記載の吸収用品。
【請求項５】
前記漏出バリア(１４)の前記側方外側部(１５)同士の間の横方向(ｘ)の距離(ｃ)は、前記股領域の横方向における最も狭い幅より少なくとも４ｃｍ大きいか、そしてさらに好ましくはそれより１０ｃｍ大きいことを特徴とする請求項４に記載の吸収用品。
【請求項６】
前記漏出バリア(１４)の前記側方外側部(１５)同士の間の横方向(ｘ)の距離(ｃ)は、前記股領域(４)の最も狭い部分における前記股領域(４)の幅８ａ)以下であることを特徴とする請求項２または請求項３に記載の吸収用品。
【請求項７】
隆起した漏出バリア(１４)は、前記用品の前記前方領域(２)と前記後方領域(３)との両方の領域に存在していることを特徴とする請求項１ないし請求項６のいずれか一項に記載の吸収用品。
【請求項８】
漏出バリア(１４)は、長手方向における少なくとも２ｃｍの、好ましくは少なくとも５ｃｍの、そしてさらに好ましくは少なくとも１０ｃｍの長さ(ｂ)に沿って前記股領域(４)に存在しておらず、前記股領域(４)に、かつ前記前方領域(２)および／または前記後方領域(３)内の前記漏出バリア(１４)は、前記股領域(４)にもしくはそれに近接して、末端ポイントを有していることを特徴とする請求項１ないし請求項７のいずれか一項に記載の吸収用品。
【請求項９】
前記漏出バリア(１４)の側方内側伸縮部(１６)が前記用品の前記内側カバー(２)に対して取り付けられ、これによって前記漏出バリア(１４)が隆起することを防ぐことによって、前記漏出バリア(１４)は、前記股領域(４)に沿って延在しているが、その長手方向における少なくとも２ｃｍ、好ましくは少なくとも５ｃｍ、そしてさらに好ましくは少なくとも１０ｃｍの長さ(ｂ)にわたる前記領域内では機能しないようになっていることを特徴とする請求項１ないし請求項７のいずれか一項に記載の吸収用品。
【請求項１０】
前記漏出バリア(１４)は、横方向側方縁部(７，８)に面する前記漏出バリア(１４)の個々の末端ポイント、および前記股領域(４)のそれぞれにおいて平らに引き伸ばされて配置されておりかつその側方内側部における前記内側カバーシートに対してさらに取り付けられており、これによって、各漏出バリアがポケットを形成するようになっていることを特徴とする請求項１ないし請求項９のいずれか一項に記載の吸収用品。
【請求項１１】
前記用品は、例えばパンツ型オムツ、生理用パンツもしくは失禁オムツのパンツタイプ吸収用品であって、前記用品は、吸収コア(９)を具備してなるコア領域(２１) と前記コア領域を取り囲む基体とを有しており、前記基体は、前方領域(２)と後方領域(３)とウエスト領域(２５)とを具備してなり、その一方で、前記コア領域は、少なくとも前記用品の前記股領域(１９)に配置されており、液体非透過性外側カバー(１１)は、前記吸収コア(９)の衣類に面する側において少なくとも前記コア領域(２１)に配置されており、かつ液体透過性内側カバー(１０)は、前記吸収コア(９)の着用者に面する側において少なくとも前記コア領域(２１)に配置されており、
前記基体領域(４)の少なくとも一部において前記用品は、弾性ウェブ材料(１１)の形態の外側カバーシート(１０)を具備してなることを特徴とする請求項１ないし前記１０のいずれか一項に記載の吸収用品。
【請求項１２】
前記漏出バリア(１４)は、前記用品の前記コア領域(２１)に配置されていることを特徴とする請求項１１に記載の吸収用品。
【請求項１３】
前記用品を平らに引き伸ばした状態で測定した場合、前記吸収コア(９)の表面積は、前記用品の全表面積の３０％以下、好ましくは２０％以下であることを特徴とする請求項１１または請求項１２に記載の吸収用品。
【発明の詳細な説明】
【技術分野】
【０００１】
本発明は、着用者の体液を吸収しかつ保持するための例えばオムツ、パンツ型オムツ、失禁ブリーフおよび生理用ナプキンなどの吸収用品に関するものである。
【背景技術】
【０００２】
上述したような種類の吸収用品は公知であり、この吸収用品は、吸収体の近くに長手方向に延在する漏出バリアを有している。コンテインメント(containment)もしくはバリアフラップとも呼ばれる漏出バリアは、自由側方内側伸縮部と側方外側部とを有しており、このものにおいて、漏出バリアの伸縮部は、吸収用品の内側カバーから隆起している。そうした隆起した漏出バリアは、吸収用品から体滲出液の漏れの発生を低減させることに役立つ。
【０００３】
特許文献１には、隆起可能な漏出バリアを備えたオムツが開示されており、オムツの股領域の漏出バリアは、漏出バリアの側方外側部の内側部分における用品の体に面するシートに対して付着しており、そのため、漏出バリアの隆起高さは、オムツの前方および後方領域における高さよりも、股領域における高さのほうが低くなる。
【０００４】
特許文献２には、側方外側部を有する漏出バリアを備えたパンツ型オムツが開示されており、側方外側部は、オムツの脚開口部の輪郭に追従する。
【０００５】
特許文献３には、湾曲した様式で吸収用品に対して漏出バリアを取り付ける方法が開示されている。漏出バリアは、用品の長手方向中央線に対して平行な少なくとも一つの縁部を有しておりかつ接合線に沿って用品と結合されており、この接合線は、用品の長手方向中央線に対して湾曲した形態で延在している。
【０００６】
特許文献４には、矩形状片の材料からオムツカバーを形成する方法が開示されている。脚用孔部として材料片の長手方向側縁部の内側が切り取られており、続いてそれは、個々の長手方向側縁部における内向き脚輪郭部を形成するように、孔部を横断する長手方向折り曲げ線に沿って内側へ折り込まれる。内側に折り込まれた部分は、股領域のより小さな高さを有する漏出バリアを形成するために伸縮自在である。
【０００７】
使用中に着用者の股部に被着させられる用品の領域(股領域)の幅を狭くすることによって、快適さを向上させた吸収用品は、多くの従来技術文献、例えば特許文献５によって公知となっている。狭い股幅を有する吸収用品に対して漏出バリアを取り付けるとき、ある問題が生じることがあるが、それは、特に漏出バリアが用品の体に面するカバーシートから完全に隆起しない場合に、漏出バリアが用品の股領域となる体液の流入部を部分的に遮断するかもしれず、これによって用品からの体液の漏出が引き起こされる可能性があるというものである。
【特許文献１】米国特許第6,620,145号明細書
【特許文献２】米国特許出願公開第2004/0127882号明細書
【特許文献３】国際公開第97/29722号パンフレット
【特許文献４】特開2002-058703号公報
【特許文献５】欧州特許出願公開第1 384 459号明細書
【発明の開示】
【課題を解決するための手段】
【０００８】
本発明の目的の一つは、快適性および股領域における適応性ならびに効果的な漏出防止特性を兼ね備えた吸収用品を提供することである。用品は、上述した種類の実質的に長手方向に延在する漏出バリアを備えており、このものにおいて、その長手方向における少なくとも２ｃｍ、好ましくは少なくとも５ｃｍ、そしてさらに好ましくは１０ｃｍの長さに沿って、用品の股領域は漏出バリア内に存在しておらず、その一方で、隆起した漏出バリアは、用品の前方および／または後方領域に存在している。
【０００９】
ある実施形態によれば、股領域の少なくとも一部は、横方向に２０ｃｍ以下の、好ましくは１５ｃｍ以下の幅を有している。
【００１０】
本発明のある態様において、漏出バリアの側方外側部同士の間の横方向における距離は、少なくとも３ｃｍである。
【００１１】
さらなる実施形態において、漏出バリアの側方外側部同士の間の横方向の距離は、最も狭い股幅に等しいか、あるいはそれよりも大きいか、好ましくはそれよりも４ｃｍ大きいか、そしてさらに好ましくはそれよりも１０ｃｍ大きい。
【００１２】
代替実施形態において、漏出バリアの側方外側部同士の間の横方向の距離は、最も狭い股幅以下である。
【００１３】
ある実施形態によれば、隆起した漏出バリアは、用品の前方領域および後方領域の両方に存在している。
【００１４】
ある実施形態によれば、その長手方向における少なくとも２ｃｍ、好ましくは５ｃｍ、そしてさらに好ましくは１０ｃｍの長さ(ｂ)に沿って、漏出バリアは、股領域には存在しておらず、そして前方および／または後方領域の漏出バリアは、股領域にもしくはそれに近接して末端ポイントを有している。
【００１５】
さらなる実施形態において、漏出バリアが隆起することを防止するために、漏出バリアの側方内側伸縮部が用品の内側カバーに対して取り付けられることによって、漏出バリアは股領域に沿って延在しているが、その長手方向における少なくとも２ｃｍ、好ましくは少なくとも５ｃｍ、そしてさらに好ましくは１０ｃｍの長さ(ｂ)にわたって当該領域では機能しないようになっている。
【００１６】
「機能しない」とは、漏出バリアおよび漏出バリアにおけるのびは存在し得るが、漏出バリアは機能しない領域に平らに引き伸ばされて配置されているということを意味している。
【００１７】
さらなる他の実施形態において、漏出バリアは、横方向側方部に面する漏出バリアの個々の端部および股領域のそれぞれにおいて、平ら引き伸ばされて設置されておりかつその側方内側部における内側カバーシートに対して取り付けられており、これによって、漏出バリアは、ポケットを形成することとなる。
【００１８】
本発明のある態様において、用品は、パンツ型オムツ、生理用パンツまたは失禁用パンツなどのパンツ型吸収用品であり、この用品は、吸収コアを備えたコア領域と、コア領域の周囲の基体を有しており、この基体は、前方領域と後方領域とウエスト領域とを備えているが、一方で、コア領域は、少なくとも用品の股領域に配置されており、液体不透過性外側シートは、少なくとも吸収コアの衣類に面する側におけるコア領域に配置されており、そして液体透過性内側シートは、少なくとも吸収コアの着用者に面する側におけるコア領域に配置されており、基体領域の少なくとも一部内の用品は、弾性ウェブ材料の形態の外側カバーシートを備えている。
【００１９】
さらなる態様において、漏出バリアは、用品のコア領域に配置されている。他の形態において、用品を平らに引き伸ばした状態で測定した場合、吸収コアの表面積は、用品の全表面積の３０％以下、好ましくは２０％以下となる。
【００２０】
本発明のさらに他の形態において、本発明は、オムツ、パンツ型オムツもしくは失禁用衣類の形態の吸収用品に対して適用される。
【発明を実施するための最良の形態】
【００２１】
以下、本発明について、図面に示すいくつかの実施形態を参照して、詳細に説明する。
【００２２】
［規定］
〔吸収用品〕
「吸収用品」という用語は、尿、大便および月経液などの体滲出液を吸収しかつ保持するために着用者の皮膚に対して配置される製品を意味する。本発明は主に、使い捨て吸収用品に関するものであり、それは、使用後に、洗濯するかまたは他の方法によって、吸収用品として再生もしくは再利用されない用品であることを意味する。
【００２３】
〔内側液体透過性カバー〕
内側液体透過性カバーは、吸収用品の内側カバーを形成しかつ使用時に着用者の肌と直接接触するよう配置される。内側液体透過性カバーは、不織材料、例えばスパンボンド、メルトブローン、梳毛、水流交絡、ウェットレイドなどの不織材料からなっていてもよい。適切な不織材料は、例えば木材パルプもしくは綿繊維などの天然繊維、ポリエステル、ポリエチレン、ポリプロピレン、ビスコースなどの人工繊維、もしくは天然繊維と人工繊維との混合物から構成可能である。内側液体透過性カバー材料は、さらに、トウ繊維からなっていてもよく、それは、例えば欧州特許出願公開第1 035 818号明細書に開示されているように、結合パターンにおいて互いに結合されていてもよい。内側液体透過性カバー材料のさらなる例として、多孔質フォーム、開口プラスチックフィルムなどが挙げられる。内側液体透過性カバー材料に適した材料は、肌に対して軟質でありかつ刺激がなく、そして尿または月経液などの体液をすばやく透過するようになっていることが望ましい。その上、内側液体透過性カバーは、吸収用品のさまざまな部分において異なっていてもよい。
【００２４】
〔外側液体非透過性カバー〕
外側液体非透過性カバーは、少なくともそのコア領域における吸収用品の外側カバーを形成する。外側液体非透過性カバーは、液体の透過に抗する薄手のプラスチックフィルム、例えばポリエチレンもしくはポリプロピレンフィルム、液体不透過性材料で被覆された不織材料、疎水性不織材料、もしくは例えばプラスチックフィルムおよび不織材料からなるラミネートから構成されてもよい。外側液体非透過性カバー材料は、吸収コアから蒸気を逃すことを可能にするために通気可能であり、一方で依然として、液体が通過することを防ぐものであってもよい。通気可能な外側液体非透過性カバー材料として、多孔質ポリマーフィルム、スパンボンドおよびメルトブローン層からなる不織布ラミネート、多孔質ポリマーフィルムと不織材料とからなるラミネートが挙げられる。
【００２５】
〔吸収コア〕
吸収コアは、従来型のものであってもよい。一般的に用いられる吸収材料の一例として、セルロースフラッフパルプ、ティッシュ層、高吸収ポリマー(いわゆる超吸収体)、吸収フォーム材料もしくは吸収不織材料などが挙げられる。吸収コアの中でセルロースフラッフパルプと超吸収ポリマーとを結合することは一般的である。超吸収ポリマーは、膨潤可能な、非水溶性の有機もしくは非有機材料であり、この材料は、０.９重量パーセントの食塩を含む水溶液を材料の重量の少なくとも２０倍を吸収する能力がある。超吸収材料として使用されることに適した有機材料は、ポリサッカライドおよびポリペプチドなどの天然材料、ならびに合成ヒドロゲルポリマーなどの合成材料を含んでいてもよい。そうした合成ヒドロゲルポリマーは、例えばポリアクリル酸のアルカリ金属塩、ポリアクリルアミド、ポリビニルアルコール、ポリアクリレート、ポリアクリルアミドおよびポリビニルピリジン類などを含んでいる。他の適切なポリマーは、加水分解アクリロニトリルグラフトスターチ、アクリル酸グラフトスターチ、およびイソブチレンマレイン無水物コポリマー、ならびにこれらの混合物を含んでいる。ヒドロゲルポリマーは、材料に実質的に非水溶性を付与するために、軽度に交差結合していることが好ましい。超吸収粒子、繊維、フレーク、球などの外表面または外殻を超吸収体の内側部より交差結合密度を高める処置によって、適切な超吸収材料は、表面交差結合されている。超吸収材料は、粒子、繊維、フレークおよび球などを含む吸収複合材の使用に適する形態のものであってもよい。
【００２６】
高い吸収能力は、多量の超吸収材料を使用することによって実現される。セルロース繊維などの吸水性繊維および超吸収材料のマトリックスを備える吸収コアに関して、超吸収材料の一部は、好ましくは重量で１０％から９０％、さらに好ましくは重量で３０％から７０％である。
【００２７】
吸収体において、液体受容能力、液体拡散能力および貯蔵能力に関する異なる特性の層を備える吸収コアを有していることは一般的である。例えば乳児用オムツおよび失禁ガードにおける一般的な薄手の吸収体は、多くの場合、セルロースフラッフパルプと超吸収ポリマーとの圧縮混合体もしくは層状構成体から構成される。吸収コアのサイズおよび能力は、例えば乳児用もしくは失禁をする成人用などさまざまな用途のために適切に変更することができる。
【００２８】
さらに、吸収コアは、主要な吸収体の上部に配置された捕捉拡散層を含んでいてもよく、それは、排出された液体が主要な吸収体に吸収される前に、液体をすばやく受容して一時的に貯蔵するために配置される。そうした捕捉拡散層は、この技術分野において公知でありかつ多孔質繊維状ワッディングおよびフォーム材料から構成されていてもよい。
【００２９】
〔漏出バリア〕
漏出バリア、もしくは保持部またはバリアフラップとも呼ばれるものは、実質的に、吸収構成体に沿って長手方向に延在している。これらの漏出バリアは、自由側方内側伸縮部(遠位部)と、用品の内側カバーに取り付けられた側方外側部(近位部)を有しており、このものでは、漏出バリアの伸縮遠位部は、吸収用品の内側カバーから隆起している。そうした隆起した漏出バリアは、吸収用品からの体滲出液の漏出の発生を低減することに役立っている。
【００３０】
［好ましい実施形態の説明］
図１には、平らに引き伸ばされた非収縮状態での吸収用品の概略平面図である。図１に示す吸収用品は長手方向ｙおよび横方向ｘを有しており、また吸収用品は、その長手方向に見た場合、前方領域２と、後方領域３と、これらの間の股領域４とから構成される。用品は、一対の長手方向側方縁部５および６と、一対の横方向側方縁部７および８とによって形成される。股領域４は、用品の個々の長手方向側方縁部５および６における内向き脚輪郭部によって形成される。
【００３１】
その最も一般的な形態において、オムツは、吸収コア９と、吸収コア９を封入するカバーとを備えている。このカバーは、吸収コア９の着用者に面する側における内側液体透過性カバー１０と、吸収コアの衣類に面する側における外側液体非透過性カバー１１とを備えている。内側液体透過性カバー１０は、多くの場合、表面シートとして用いられておりその一方で、外側液体非透過性カバー１１は、多くの場合、背面シートとして用いられている。
【００３２】
内側カバー１０および外側カバー１１は、吸収コア９の周縁部を超えて外側へ延在しかつ例えば熱または超音波を用いる接着もしくは溶着によって、互いに結合されるそれ自身の内側表面を有している。内側および外側カバー材料は、さらに、接着剤によって、吸収コア９に対して結合されてもよい。吸収コアは備えていてもよい。
【００３３】
脚開口部に近接する用品の領域は、長手方向側方縁部に沿って弾性部材１２を備えており、それは、オムツの伸縮脚開口部を形成するために、伸長された状態で、内側カバー１０材料層と外側カバー１１材料層との間に存在している。対応する弾性部材(図示せず)が、オムツのウエスト開口部を形成する横方向側方縁部に近接する前方領域２および後方領域３に横方向ｘに延在するように配置されてもよい。
【００３４】
代わりに、弾性部材１２は、伸縮性を付与された状態となるように、ある手段を用いて(例えば熱によって)機能させることができる材料から構成されてもよく、このものにおいて、それは、引き伸ばされていない非活性状態で用品に取り付けられてもよいが、そして続いて、収縮された弾性状態となるように作用するようにさせられる。
【００３５】
後方領域３は、それに取り付けられた固定手段１３を備えている。固定手段は、パンツ形状を形成するよう用品の前方領域に対して固定されることになる。固定手段１３は、粘着テープまたはループ具に取り付けられるフック要素の形態、例えばオムツの外側カバーシートを形成する不織材料の形態であってもよい。
【００３６】
さらにオムツは、側方外側遠位縁部１５と、側方内側近位縁部１６と、内側カバーシート６から遠位縁部１６を区切る弾性部材１７とを有する長手方向に延在する弾性漏出バリア１４を備えている。この漏出バリア１４は、その遠位縁部１５において、吸収コア９の外側の側方もしくは吸収コア９上のいずれかにあるように、吸収コア９の側方縁部に近接する内側カバーシート６に取り付けられている。取り付けは、例えば粘着剤、超音波溶着、もしくは熱結合によってなされてもよい。図１において、漏出バリア１４の遠位縁部１６は非収縮状態で示されており、このものにおいて、これは内側カバーシート６から隆起していない。一方で、図２においては、漏出バリア１４は、隆起した状態で示されており、このものにおいて、その遠位縁部１６は、内側カバーシート６から持ち上げられている。
【００３７】
図１に示した実施形態によれば、弾性漏出バリア１４は、オムツの前方領域２および後方領域３に存在しているが、その一方で、股領域４のかなりの部分には弾性漏出バリア１４が存在しない。本発明によれば、股領域４には、長手方向における少なくとも２ｃｍ、好ましくは少なくとも５ｃｍ、そしてさらに好ましくは少なくとも１０ｃｍの長さ(ｂ)にわたって隆起した漏出バリアが存在しない。
【００３８】
漏出バリア１４の横方向側方縁部７，８のそれぞれに面するその個々の末端部、および股領域４において、漏出バリア１４は、平らに引き伸ばされた状態で配置されかつ例えば粘着剤、超音波溶着または熱結合などによって、さらにその遠位縁部においてカバーシートに対して取り付けられている。漏出バリア１４は、これによって、ポケットを形成することとなる。図１には、漏出バリア１４の取り付けられた部分を影を付けて示す。
【００３９】
図１において、内側カバーシート６に対して平らに引き伸ばされて配置されている漏出バリア１４が非収縮状態であるとき、近位縁部１６同士の距離(ｄ)と同様に、二つの漏出バリア１４の遠位縁部１５同士の間の距離(ｃ)は、オムツの最小股幅(ａ)以上である。さらに股幅は、図１に示すような非収縮状態のオムツを用いて測定される。
【００４０】
図１に示すオムツを製造するとき、使用できる一組の選択肢が存在する。第１は、脚輪郭部のための切欠き部を形成する前に、オムツに対してある長さの漏出バリア１４を付加することである。脚輪郭部のために切欠き部が形成されるとき、それと同時に、最も狭い股幅を有する股領域４の少なくとも一部において漏出バリアが切り取られる。弾性部材１７を備えた遠位縁部１６は、切欠き部が形成される前に、股領域４に面する端部において内側カバーシートに対して取り付けられる。さらに遠位縁部１６は、オムツの個々の横方向縁部７および８に面する端部において内側カバーシートに対して取り付けられる。弾性部材１７を備えた遠位縁部１６の取り付けは、粘着剤、超音波溶着または熱結合によってなされる。
【００４１】
他の例は、一方で、股領域４の少なくとも一部には漏出バリア１４が存在しないようにしながら、断続的に、前方領域２および／または後方領域３におけるある長さの不連続な漏出バリア１４を取り付けることである。図に示すように、漏出バリア１４は、オムツの前方および後方領域２および３の両方に存在していてもよく、あるいは漏出バリア１４は、前方領域２のみに、または後方領域３のみに存在していてもよい。
【００４２】
代替実施形態において、二つの漏出バリア１４の近位縁部１５同士の間の距離(ｃ)は、オムツの最小股幅(ａ)および漏出バリア１４の遠位縁部１６同士の間の距離(ｄ)以下であり、非収縮状態で、内側カバーシート６に対して平らに引き伸ばされているときでは、最小股幅(ａ)よりも小さい。この場合において、股領域４の少なくとも一部には漏出バリア１４を存在しないようにしながら、ある長さの不連続な漏出バリア１４は、前方および／または後方領域２および３に断続的に取り付けられている。他の選択肢として、ある長さの連続的な漏出バリア１４を股領域４にわたって延在するオムツに対して取り付けること、および漏出バリア１４の遠位縁部１６を股領域４の少なくとも一部に沿って内側カバーに対して取り付けることが挙げられるが、この場合、漏出バリア１４は、当該部分において隆起した漏出バリア１４を形成しないこととなる。漏出バリア１４の遠位縁部１６の取り付けられた(機能しない)長さは、少なくとも２ｃｍ、好ましくは少なくとも５ｃｍ、そしてさらに好ましくは少なくとも１０ｃｍであるべきである。
【００４３】
図４〜図６には、パンツ型吸収用品の形態の吸収用品１のさらなる例を示しており、これは、パンツ型オムツ、生理用パンツ、もしくは失禁用パンツであってもよい。パンツ型用品の前方および後方面材２および３は、ウエスト開口部１９と一対の脚開口部２０とを形作るための側方接合部１８を形成する面材の長手方向側方縁部に沿って互いに結合されている。
【００４４】
図４〜図６に示すパンツ型用品は、吸収コア９を備えたコア領域２１、上述したような液体透過性内側カバー１０および液体非透過性外側カバー１１、ならびにコア領域２１の外側の基体領域を備えている。基体は、前方領域２と、後方領域３と、弾性ウエストバンド２５を備えたウエスト領域とを備えている。基体領域の少なくとも一部は、弾性ウェブ材料(例えば弾性ラミネート)の形態の軟質でありかつ快適な材料からなるカバーシート２２を備えている。そうしたパンツ型用品の一例は、PCT/SE2004/1005号の明細書およびPCT/SE2005/000307号の明細書に開示されている。カバーシート２２として使用される弾性ラミネートに関するさらなる詳細は、これらの文献に見出される。
【００４５】
弾性ラミネート２２は、コア領域２１ならびに前方および後方領域２および３の全体を含む用品の全体を覆うことができる。ただし、好ましい実施形態によれば、用品の股領域４の多くの部分には、弾性ウェブ材料２２は存在しない。本明細書で使用する「多くの部分」とは、少なくとも５０％、好ましくは少なくとも７５％を意味する。
【００４６】
好ましくは非弾性不織材料からなる股領域ウェブ材２３は、用品の股領域４に配置されておりかつ弾性前方面材２および弾性後方面材３と重なり合っている。股領域ウェブ材２３は、重なり合うような様式で、超音波溶着部２４、熱結合、冷間結合または接着糸などによって、前方および後方領域２および３にそれぞれ取り付けられている。
【００４７】
さらに設けられた弾性ウエストバンド２５は実質的に非弾性な不織材料からなり、この材料は、弾性糸などの伸長弾性部材２６、材料層の間に収縮可能に取り付けられた不織材料などによって伸縮自在となる。さらに弾性糸１２は、用品の脚開口部５および６の周囲に配置されてもよい。
【００４８】
液体非透過性背面シート材１１は、吸収コア９の下側にかつ吸収コア９の外側に直接接触する領域に近接して存在する。液体非透過性背面シート１１によって被覆された領域は、コア領域２１として規定される。股不織材２３は、用品の股領域４における液体非透過性背面シート１１の衣類に面する側に配置されている。コア領域２２は、前方および後方面材２および３へと延在しており、これによって、弾性ウェブ材料２２および液体非透過性背面シート１１は、コア領域２１の外側部分において重なり合っており、ここで、弾性ウェブ材料２２は、液体非透過性背面シート１１の衣類に面する側に配置されている。
【００４９】
用品を平らに引き伸ばした状態で測定した場合に、吸収コア９の表面積は、用品の全表面積の３０％以下、好ましくは２０％以下となる。
【００５０】
弾性ラミネート２２は、前方および後方面材２および３の少なくとも一部の単一コンポーネントを構成する。図５に示すように平らに引き伸ばした状態で測定した場合に、用品の全表面積の少なくとも２０％、好ましくは少なくとも２５％、さらに好ましくは少なくとも３０％、そして最も好ましくは少なくとも４０％において、弾性ラミネート２２は、前方および後方面材の底面部材を構成する。
【００５１】
弾性ラミネート２２を使用するときには、前方および後方面材２および３と結合する付加的な伸縮側方面材は必要ではない。
【００５２】
漏出バリア１４は、パンツ型用品のコア領域２１に配置されかつ吸収コア９に沿って延在している。図４〜図６に示す実施形態において、用品の股幅(ａ)は、漏出バリアの遠位縁部同士の間の距離(ｄ)よりも大きくかつ漏出バリア１４の近位縁部１６同士の間の距離(ｃ)におおむね等しい。漏出バリア１４は、漏出バリア１４の遠位縁部１６を内側カバーシート１０に対して取り付けることによって、股領域におけるそのある長さに沿って機能しないようになっている。これは、図６に最も良く示されている。この取り付け部２７は、粘着剤、超音波溶着または熱結合によって形成される。
【００５３】
代替実施形態において、漏出バリア１４は、上述したように前方および／または後方領域２および３に対して断続的に取り付けられている。さらなる実施形態において、漏出バリアの遠位縁部１６だけでなく近位縁部１５同士の間の距離は、パンツ型用品の股幅以上であり、このものにおいて、不連続的な漏出バリアは、コア領域２１に沿って配置されても、続いて脚開口輪郭部を切断するときに、図１に関連して説明した様式で切り取られてもよい。
【００５４】
本発明は、隆起した漏出バリアを有する他のタイプの吸収用品に適用することもできる。特に、２０ｃｍ以下の、好ましくは１５ｃｍ以下の、もしくは最も狭い股幅(ａ)のように狭い股幅を有する用品に有用である。狭い股幅を備えた吸収用品の股領域に隆起した漏出バリアを設けることは、特に漏出バリアが用品の内側カバーシートから完全に隆起しないときに、漏出問題を引き起こすことがある。続いて、漏出バリアは、用品の股領域へと体液が流入することを部分的に遮断するかもしれない。この問題は、本発明によって解決されており、同時に、用品の前方および／または後方領域は、依然として、漏出バリアによって利益を得ている。股領域において、多くの場合、脚開口部の周囲の密着性が、脚用弾性体によってもたらされており、それは、この領域での漏出を防止することとなる。さらに、本発明によって、快適さおよび股領域における適応性を向上させることが実現される。
【図面の簡単な説明】
【００５５】
【図１】平らに引き伸ばされた、非収縮状態のオムツの形態の吸収用品を概略平面図である。
【図２】図１における線II−IIでの断面図である。
【図３】図１における線III−IIIでの断面図である。
【図４】パンツ型オムツの斜視図である。
【図５】装着される前の、平らに引き伸ばされた、非収縮状態のパンツ型オムツを体に面する側から見た場合の平面図である。
【図６】図５における線VI−VIでの断面図である。
【符号の説明】
【００５６】
１  吸収用品
２  前方領域
３  後方領域
４  股領域
５，６  長手方向側方縁部
７，８  横方向側方縁部
９  吸収コア
１０  内側カバー
１１  外側カバー
１２  弾性部材
１３  固定手段
１４  漏出バリア
１５  側方外側部
１６  伸縮部
１７  弾性部材
１８  側方接合部
１９  股領域
２０  脚開口部
２１  コア領域
２２  カバーシート
２３  ウェブ材
２４  超音波溶着部
２５  ウエスト領域
２６  伸長弾性部材
２７  付加物
【図１】
2009532170.tif 000003
【図２】
2009532170.tif 000004
【図３】
2009532170.tif 000005
【図４】
2009532170.tif 000006
【図５】
2009532170.tif 000007
【図６】
2009532170.tif 000008
【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
吸収コア(９)と前記吸収コアを封入するカバーとを具備してなる吸収用品であって、前記カバーは、前記吸収コアの着用者に面する側における液体透過性内側カバー(６)と前記吸収コアの衣類に面する側における液体非透過性外側カバー(７)とを具備してなり、前記用品は、長手方向(ｙ)と横方向(ｘ)とを有しておりかつ一対の長手方向側方縁部(５，６)と一対の横方向側方縁部(７，８)とによって形成されており、前記用品は、その長手方向に見た場合に、前方領域(２)と後方領域(３)とこれらの間にある股領域(４)とを具備してなり、前記股領域(４)は、前記用品の各長手方向側方縁部(５，６)における内向き脚輪郭部によって形成されており、前記股領域(４)の少なくとも一部は、横方向(ｘ)において、２０ｃｍ以下の、好ましくは１５ｃｍ以下の幅(ａ)を有しており、
さらに前記用品は、実質的に長手方向に延在する漏出バリア(１４)を具備してなり、個々の前記漏出バリア(１４)は、自由側方内側伸縮部(１６)と側方外側部(１５)とを有しており、前記漏出バリアの前記伸縮部(１６)は、前記吸収用品の前記内側カバー(６)から隆起しており、
長手方向における少なくとも２ｃｍ、好ましくは少なくとも５ｃｍ、そしてさらに好ましくは少なくとも１０ｃｍの長さ(ｂ)に沿って前記股領域(４)は、隆起した漏出バリア(１４)に存在しておらず、その一方で、隆起した漏出バリアは、前記用品の前記前方領域(２)および／または前記後方領域(３)に存在していることを特徴とする吸収用品。
【請求項２】
前記漏出バリア(１４)の前記側方外側部(１５)同士の間の横方向(ｘ)の距離(ｃ)は、少なくとも少なくとも３ｃｍであることを特徴とする請求項１に記載の吸収用品。
【請求項３】
前記漏出バリア(１４)の前記側方外側部(１５)同士の間の横方向(ｘ)の距離(ｃ)は、前記股領域の横方向における最も狭い幅と少なくとも等しいか、あるいはそれよりも大きいか、好ましくはそれより４ｃｍ大きいか、そしてさらに好ましくはそれより１０ｃｍ大きいことを特徴とする請求項２に記載の吸収用品。
【請求項４】
前記漏出バリア(１４)の前記側方外側部(１５)同士の間の横方向(ｘ)の距離(ｃ)は、前記股領域の横方向における最も狭い幅より少なくとも４ｃｍ大きいか、そしてさらに好ましくはそれより１０ｃｍ大きいことを特徴とする請求項３に記載の吸収用品。
【請求項５】
前記漏出バリア(１４)の前記側方外側部(１５)同士の間の横方向(ｘ)の距離(ｃ)は、前記股領域(４)の最も狭い部分における前記股領域(４)の幅８ａ)以下であることを特徴とする請求項１または請求項２に記載の吸収用品。
【請求項６】
隆起した漏出バリア(１４)は、前記用品の前記前方領域(２)と前記後方領域(３)との両方の領域に存在していることを特徴とする請求項１ないし請求項５のいずれか一項に記載の吸収用品。
【請求項７】
漏出バリア(１４)は、長手方向における少なくとも２ｃｍの、好ましくは少なくとも５ｃｍの、そしてさらに好ましくは少なくとも１０ｃｍの長さ(ｂ)に沿って前記股領域（４)に存在しておらず、前記股領域(４)に、かつ前記前方領域(２)および／または前記後方領域(３)内の前記漏出バリア(１４)は、前記股領域(４)にもしくはそれに近接して、末端ポイントを有していることを特徴とする請求項１ないし請求項６のいずれか一項に記載の吸収用品。
【請求項８】
前記漏出バリア(１４)の側方内側伸縮部(１６)が前記用品の前記内側カバー(２)に対して取り付けられ、これによって前記漏出バリア(１４)が隆起することを防ぐことによって、前記漏出バリア(１４)は、前記股領域(４)に沿って延在しているが、その長手方向における少なくとも２ｃｍ、好ましくは少なくとも５ｃｍ、そしてさらに好ましくは少なくとも１０ｃｍの長さ(ｂ)にわたる前記領域内では機能しないようになっていることを特徴とする請求項１ないし請求項６のいずれか一項に記載の吸収用品。
【請求項９】
前記漏出バリア(１４)は、横方向側方縁部(７，８)に面する前記漏出バリア(１４)の個々の末端ポイント、および前記股領域(４)のそれぞれにおいて平らに引き伸ばされて配置されておりかつその側方内側部における前記内側カバーシートに対してさらに取り付けられており、これによって、各漏出バリアがポケットを形成するようになっていることを特徴とする請求項１ないし請求項８のいずれか一項に記載の吸収用品。
【請求項１０】
前記用品は、例えばパンツ型オムツ、生理用パンツもしくは失禁オムツのパンツタイプ吸収用品であって、前記用品は、吸収コア(９)を具備してなるコア領域(２１)と前記コア領域を取り囲む基体とを有しており、前記基体は、前方領域(２)と後方領域(３)とウエスト領域(２５)とを具備してなり、その一方で、前記コア領域は、少なくとも前記用品の前記股領域(１９)に配置されており、液体非透過性外側カバー(１１)は、前記吸収コア(９)の衣類に面する側において少なくとも前記コア領域(２１)に配置されており、かつ液体透過性内側カバー(１０)は、前記吸収コア(９)の着用者に面する側において少なくとも前記コア領域(２１)に配置されており、
前記基体領域(４)の少なくとも一部において前記用品は、弾性ウェブ材料(１１)の形態の外側カバーシート(１０)を具備してなることを特徴とする請求項１ないし請求項９のいずれか一項に記載の吸収用品。
【請求項１１】
前記漏出バリア(１４)は、前記用品の前記コア領域(２１)に配置されていることを特徴とする請求項１０に記載の吸収用品。
【請求項１２】
前記用品を平らに引き伸ばした状態で測定した場合、前記吸収コア(９)の表面積は、前記用品の全表面積の３０％以下、好ましくは２０％以下であることを特徴とする請求項１０または請求項１１に記載の吸収用品。
【国際調査報告】
2009532170.tif 000009
2009532170.tif 000010
2009532170.tif 000011
2009532170.tif 000012
2009532170.tif 000013